(57)【特許請求の範囲】
【請求項１】
ベースと、前面パネルと、リヤカバーと、上面カバーとからなる本体と、前記ベースの前面側略中央に載置された圧縮機と、略凹状に折曲形成され前記ベースの後部から左右前方にかけて配置された熱交換器と、同熱交換器の背面側部に対向して設けられた送風機と、一側に電気部品を収容した金属製の電装品箱を配置し、他側に室内機への冷媒配管を接続する二方弁および三方弁等を取付けたバルブ取付具を配置し、前記熱交換器の両側に設けられた側板の上端に固定された取付板等からなり、前記電装品箱の背面側より前記熱交換器の外側に延出させた温度センサにより外気温を検出するようにしてなる空気調和機の室外機において、
前記電装品箱の背面側に前記温度センサのコードを保持する保持具を回動自在に設けてなることを特徴とする空気調和機の室外機。
【請求項２】
前記保持具の裏面一側に支軸を形成し、前記電装品箱の背面側に前記支軸を回動自在に軸支する軸孔を設けてなる請求項１記載の空気調和機の室外機。
【請求項３】
前記支軸の先端部に係止部を設けてなる請求項２記載の空気調和機の室外機。
【請求項４】
前記支軸の係止部を含む先端部にスリ割りを形成してなる請求項３記載の空気調和機の室外機。
【請求項５】
前記保持具の表面に、前記温度センサのコードを挟持する少なくとも一つの挟持部を設けてなる請求項１記載の空気調和機の室外機。
【発明の詳細な説明】
【０００１】
【発明の属する技術分野】
本発明は空気調和機の室外機に係わり、より詳細には、外気温を検知する温度センサの取付装置に関する。
【０００２】
【従来の技術】
空気調和機の室外機には例えば図１に示すような構成部品からなるものがある。この室外機の本体はベース１と、合成樹脂製の前面パネル２およびリヤカバー３と、上面カバー４とからなり、本体内部はベース１の前面側略中央に載置された圧縮機５と、略凹状に折曲形成されベース５の後部から左右前方にかけて配置された熱交換器６と、同熱交換器６の背面側部に対向して設けられた送風機７と、一側に電気部品を収容した金属製の電装品箱８を配置し、他側に室内機への冷媒配管を接続する二方弁９ａおよび三方弁９ｂ等を取付けたバルブ取付具９を配置し、熱交換器６の両側に設けられた側板６ａの上端に固定される取付板10等で構成され、電装品箱８の背面側にはその内部から延出させた外気温を検出するための温度センサ11が有り、この温度センサ11のコード11ａは例えば図５に示すように、熱交換器６に係止させた保持具12Ａで保持するようになっている。
【０００３】
【発明が解決しようとする課題】
しかしながら、電装品箱８の背面側から延出させた温度センサ11のコード11ａは保持具12Ａで保持されるまで何処にも固定されることなく、フリーな状態になっているため、組立作業時に温度センサ11が熱交換器６との間に挟まれるなどして損傷する恐れがあり、また、保持具12Ａへの温度センサ11の取付け、および熱交換器６への保持具12Ａの取付けはライン上で行わなければならず、作業性にも問題があった。したがって、本発明においては、温度センサを損傷するようなことがなく、かつ、組立が容易にできる空気調和機の室外機を提供することを目的としている。
【０００４】
【課題を解決するための手段】
本発明は上記の課題を解決するための手段として、ベースと、前面パネルと、リヤカバーと、上面カバーとからなる本体と、前記ベースの前面側略中央に載置された圧縮機と、略凹状に折曲形成され前記ベースの後部から左右前方にかけて配置された熱交換器と、同熱交換器の背面側部に対向して設けられた送風機と、一側に電気部品を収容した金属製の電装品箱を配置し、他側に室内機への冷媒配管を接続する二方弁および三方弁等を取付けたバルブ取付具を配置し、前記熱交換器の両側に設けられた側板の上端に固定された取付板等からなり、前記電装品箱の背面側より前記熱交換器の外側に延出させた温度センサにより外気温を検出するようにしてなる空気調和機の室外機において、
前記電装品箱の背面側に前記温度センサのコードを保持する保持具を回動自在に設けた構成とする。
【０００５】
なお、前記保持具を回動自在に保持するため、前記保持具の裏面一側に支軸を形成し、前記電装品箱の背面側に前記支軸を回動自在に軸支する軸孔を設けた構成とする。
また、前記支軸の先端部に係止部を設けた構成とする。
また、前記支軸の係止部を含む先端部にスリ割りを形成した構成とする。
また、前記保持具の表面に、前記温度センサのコードを挟持する少なくとも一つの挟持部を設けた構成とする。
【０００６】
【発明の実施の形態】
以下、本発明の実施の形態を図１〜図４に基づいて説明する。
図１は室外機の構成を分解図示したもので、同室外機の本体はベース１と、合成樹脂製の前面パネル２およびリヤカバー３と、上面カバー４とからなり、本体内部はベース１の前面側略中央に載置された圧縮機５と、略凹状に折曲形成されベース１の後部側から左右前方にかけて配置された熱交換器６と、同熱交換器６の背面側部に対向して設けられた送風機７と、一側に電気部品を収容した金属製の電装品箱８を配置し、他側に室内機への冷媒配管を接続する二方弁９ａおよび三方弁９ｂ等を取付けたバルブ取付具９を配置し、熱交換器６の両側に設けられた側板６ａの上端に固定される取付板10等で構成され、電装品箱８の背面側にはその内部から延出させた外気温を検出するための温度センサ11がある。
【０００７】
この温度センサ11は図２および図３に示すように電装品箱８の背面側に回動自在に取付けられる保持具12で保持するようになっており、保持具12を回動自在に保持する手段として、同保持具12の裏面一側に支軸12ａを設ける一方、電装品箱８の背面側に支軸12ａを回動自在に軸支する軸孔８ａを設けた構成としている。また、支軸12ａの先端部には軸孔８ａからの抜けを防止するための係止部12ｂが形成され、この係止部12ｂには軸孔８ａへの挿通を容易にするためにスリ割り12ｃが設けられ、また、保持具12の表面には温度センサ11のコード11ａを挟持する複数の挟持部12ｄが設けられている。
【０００８】
このように形成された保持具12は図３に破線で示したように電装品箱８の背面左右方向に保持させ、温度センサ11のコード11ａは挟持部11ｄで挟持した状態になっており、保持具12は電装品箱８（取付板10）を所定位置に取付けた後に垂直方向に回動させるようになっている。したがって、電装品箱８（取付板10）の取付作業中などにおいて、温度センサ11がふらつき、損傷するなどの事故を防止でき、組立作業も楽になる。
図４は以上説明したような構成部品からなる室外機のうち本発明に係わる部分を拡大図示したものであるが、保持具12に保持された温度センサ10はリヤカバー３の通気孔３ａと熱交換器６との間に位置するため熱交換器６に流れる外気の温度を感度良く検知することができる。
【０００９】
【発明の効果】
以上説明したような保持具により温度センサのコードを保持するようにした室外機であれば、電装品箱の取付けが終わるまで温度センサを電装品箱の背面側に保持できるため、温度センサが損傷するようなことはなく品質の向上が図れると共に、電装品箱の取付けや取り外しが簡単に行え、作業時間の短縮が図れる。
【図面の簡単な説明】
【図１】本発明および従来例に係わる空気調和機の室外機の分解斜視図である。
【図２】本発明の一実施例を示す保持具と電装品箱の関係を示す要部斜視図である。
【図３】本発明の一実施例を示す保持具の取付状態を示す要部斜視図である。
【図４】本発明の一実施例を示す空気調和機の室外機の要部斜視図である。
【図５】従来例を示す空気調和機の室外機の要部斜視図である。
【符号の説明】
１  ベース
２  前面パネル
３  リヤカバー
３ａ  通気孔
４  上面カバー
５  圧縮機
６  熱交換器
６ａ  側板
７  送風機
８  電装品箱
８ａ  軸孔
９  バルブ取付具
９ａ  二方弁
９ｂ  三方弁
10  取付板
11  温度センサ
11ａ  コード
12  保持具
12ａ  支軸
12ｂ  係止部
12ｃ  スリ割り
12ｄ  挟持部
【図１】
0003755258.tif 000002
【図２】
0003755258.tif 000003
【図３】
0003755258.tif 000004
【図４】
0003755258.tif 000005
【図５】
0003755258.tif 000006